(57)【要約】【課題】多種の訓練機能と動作のスムーズさという効果を兼ね備える連棒式足筋力訓練器を提供する。【解決手段】連棒式足筋力訓練器は底台、両側のペダルセット、連動機構を含む。該底台上には２個の相互に異なる端がそれぞれ下方へ、かつ外側へ傾斜する下傾斜軸心を設置し、該両側のペダルセットは軸カバーを通して対応する下傾斜軸心上に可動設置し、こうして任意のペダルセットが下方へ踏み込まれると、ペダルセットの自由端は下傾斜軸心を支点とし内側へ偏移し、該両側のペダルセット間には上、下交差連動を生じることができる連動機構を設置する。こうして施力され下方に向かうペダルセットは、内側へと偏移し、重心はペダルセットが内側へと偏移することで縮小し、身体は反射性のウエストひねり、臀部と腕振り等動作を生じ、使用者の運動量を拡大することができる。【選択図】図１
0003150337.tif 000002
【実用新案登録請求の範囲】
【請求項１】
少なくとも底台と、両側のペダルセットと、連動機構とを含む連棒式足筋力訓練器であって、
該底台上には相互に対応し、しかも相互に異なる端が下方へ、かつ外側へ傾斜する２個の下傾斜軸心を備え、該各下傾斜軸心上にはそれぞれ１個のペダルセットを設置し、こうして力を受けて下方へ踏み込まれるペダルセットの可動接続端とは異なる自由端は下方へ、しかも内側へ偏移し、
該両側のペダルセット間には連動機構を設置し、
該連動機構は可動部品及び２個の連動部品を備え、該可動部品は中央部により該底台上に可動設置し、該各連動部品両端は相互に対応する可動部品端部及びペダルセットと可動接続し、こうして両側のペダルセットは上、下交差運動を生じることを特徴とする、連棒式足筋力訓練器。
【請求項２】
前記底台は前方に上方へと延伸する固定台を設置し、該ペダルセットを可動設置する２個の下傾斜軸心は該固定台の両側にそれぞれ設置し、これにより該２個の下傾斜軸心の相互に異なる端は下方へ、かつ外側へ傾斜することを特徴とする、請求項１記載の連棒式足筋力訓練器。
【請求項３】
前記底台は前方両側の相対位置において軸枠を設置し、該ペダルセットを可動設置する２個の下傾斜軸心はそれぞれ該２個の軸枠に設置し、これにより該２個の下傾斜軸心の相互に異なる端は下方へ、かつ外側へ傾斜することを特徴とする、請求項１記載の連棒式足筋力訓練器。
【請求項４】
前記両側のペダルセットは運動ダンパー作用を生じることができる抵抗部品を設置することを特徴とする、請求項１記載の連棒式足筋力訓練器。
【請求項５】
前記連動機構は可動部品と２個の連動部品を含み、それは該底台上に「コ」の字型サポート台を設置し、該サポート台は螺設部品により該可動部品の中央位置に可動設置し、該２個の連動部品はそれぞれ該可動部品の両端に可動設置し、しかも該２個の連動部品の反対端は上記した対応するペダルセット上に可動設置し、こうして該両側のペダルセットは上、下交差連動を生じることを特徴とする、請求項１記載の連棒式足筋力訓練器。
【請求項６】
前記連動機構は該底台のメインフレーム中段上に「コ」の字型を呈する枠台を設置し、該枠台上には可動部品を設置し、しかも該枠台後側は調整部品により上記した可動部品中央と連接し、さらに該可動部品両端にはそれぞれ連動部品を可動設置し、２個の連動部品の該可動部品と異なる一端はそれぞれ上記した対応するペダルセット上に可動設置し、こうして両側のペダルセットは上、下交差連動を生じることを特徴とする、請求項１記載の連棒式足筋力訓練器。
【請求項７】
前記連動機構は該底台後方に固定台を固設し、該固定台上には可動部品を設置し、さらに該可動部品両端にはそれぞれ連動部品を可動設置し、該２個の連動部品の該可動部品と異なる一端はそれぞれ上記した対応するペダルセット上に可動設置し、こうして該両側のペダルセットは上記した連動機構を通して上、下交差連動を生じることを特徴とする、請求項１記載の連棒式足筋力訓練器。
【請求項８】
前記両側のペダルセット間には抵抗機構を設置し、該抵抗機構は該底台の固定台上に後方へ延伸する中間棒を設置し、該中間棒底面には円盤状の転動ブロックを可動設置し、しかも該底台上には前後移動する調節ボルトを備え、選択的に作動させ、該底台は該転動ブロック前方において横棒を横方向に別に設置し、該横棒両端にはそれぞれ連接クランプを可動設置し、該２個の連接クランプの一端は上記した調節ボルト上に一緒に可動設置し、該２個の連接クランプの反対端には摩擦片を一緒に跨ぎ設置し、該摩擦片は該転動ブロックの外側周縁を巡り、該連動機構の可動部品は該転動ブロックと連動を生じ、該調整摩擦片を通して該転動ブロックの摩擦面積に相対し、その抵抗力を調節することを特徴とする、請求項１記載の連棒式足筋力訓練器。
【請求項９】
前記連動機構は該底台の固定台上において前後移動する調節ボルトを選択的に作動させ、該調節ボルト端部には転動ブロックを可動設置し、しかも該転動ブロック両側の相対周縁にはそれぞれ偏心連動部品を可動設置し、しかも該２個の偏心連動部品の該転動ブロックとは異なる一端はそれぞれ対応するペダルセット上に可動設置し、こうして該両側のペダルセットは該転動ブロックと該偏心連動部品を通して上、下交差連動を生じることを特徴とする、請求項１記載の連棒式足筋力訓練器。
【考案の詳細な説明】
【技術分野】
【０００１】
本考案は運動/アスレチックの技術領域に係り、特に多種の訓練機能と動作のスムーズさという効果を兼ね備える連棒式足筋力訓練器に関するものである。
【背景技術】
【０００２】
従来、足踏み式健康器は、ベースの両側には交錯に上下動可能なペダルが設けられており、且つ各ペダルの下には減衰作用を発生するための油圧シリンダーが設けられている。なお、各ペダルは、ベースの両側に水平に枢着されているので、交錯に上下動することだけができ、ユーザは両足によってペダルを交錯に踏込むことだけができ、だから、鍛錬可能な部位は腿部だけである。
【０００３】
上記の問題を解決するために、ある足踏み式健康器は、二つのペダルをＹ字形を呈するフレームに枢着することにより、一つのペダルが踏込まれているときには、当該ペダルは下外へ斜めに移動され、このとき、他のペダルが上内へ斜めに移動され、そうすると、ユーザの重心が外側に拡がることになるので、このような足踏み式健康器に立っているユーザの重心が極めて安定し、そして運動している際に、ペダルによって腿部が下へ斜めに力を加えるので、腰部と臀部の筋肉も受動的に連動されるようになり、だから、腰部と臀部と腿部を同時に鍛錬することができる。
【０００４】
しかしながら、踏込まれているペダルが下外へ斜めに移動され、ユーザの重心が外側に拡がることになるので、このような足踏み式健康器に立っているユーザの重心が極めて安定し、そして運動している際に、ペダルによって腿部が下へ斜めに力を加えるが、腰部と臀部との筋肉が受動的に連動され、受動的な運動鍛錬効果はより低い。
【考案の概要】
【考案が解決しようとする課題】
【０００５】
そこで、本考案が解決しようとする主要な課題は、力を受けて下方へ向かうペダルを内側へと偏移させることで、主動性の臀部スイング、ウエストひねり運動を生じる連棒式足筋力訓練器を提供することである。
【課題を解決するための手段】
【０００６】
上記課題を解決するため、本考案は下記の連棒式足筋力訓練器を提供する。即ち、該連棒式足筋力訓練器は底台、両側のペダルセット、連動機構を含み、該底台上には下方へ、かつ外側へと傾斜する２個の下傾斜軸心を備え、該各下傾斜軸心上にはそれぞれ１個のペダルセットを設置し、力を受けて下方へ踏み込まれるペダルセットの可動接続端とは異なる自由端は下方へ、しかも内側へ偏移し、両側のペダルセット間には連動機構を設置し、該連動機構は可動部品及び２個の連動部品を備え、該可動部品は中央部により該底台上に可動設置し、該各連動部品両端は相互に対応する可動部品端部及びペダルセットと可動接続し、こうして両側のペダルセットは上、下交差運動を生じる。
【考案の効果】
【０００７】
本考案は運動過程において、力を受け下方へ向かうペダルセットは下方へ内側へと偏移し、重心はペダルセットが内側へと偏移することで縮小し、使用者は平衡を保持するため、反射性のウエストひねり、臀部と腕振りの全身運動を生じ、こうして腰部と腕の訓練機能と運動量を増加させることができる。
【図面の簡単な説明】
【０００８】
【図１】本考案の実施例１の分解斜視図である。
【図２】本考案の実施例１の平面図である。
【図３】本考案の実施例２の全体斜視図である。
【図４】本考案の実施例３の平面図である。
【図５】本考案の実施例４の平面図である。
【図６】本考案の実施例５の一部斜視図である。
【図７】本考案の実施例６の平面図である。
【図８】本考案の実施例７の平面図である。
【図９】本考案の実施例８の平面図である。
【考案を実施するための形態】
【０００９】
以下に図面を参照しながら本考案を実施するための最良の形態について詳細に説明する。
【００１０】
図１に示すように、底台１０、両側のペダルセット２０、連動機構３０を含む。該両側のペダルセット２０は該底台１０にそれぞれ設置し、しかも該両側のペダルセット２０は該連動機構３０を通して、上、下交差連動を生じる。
【００１１】
本考案の詳細構成は図１、２に示す。図１、２に示すように、該底台１０は縦方向のメインフレーム１１を備え、しかも該メインフレーム１１両端にはそれぞれ１個の横フレーム１２を備える。該底台１０は前方横フレーム１２の中央位置において上方へと延伸する固定台１３を設置し、しかも該固定台１３にはメーター或いは手すりを設置することができる。該固定台１３両側には上方へ、かつ外側へ傾斜する斜面部品１３１をそれぞれ備え、しかも該固定台１３は２個の斜面部品１３１の下向き表面に、それぞれ下傾斜軸心１５を設置し、これにより該２個の下傾斜軸心１５の相互に異なる端は下方へ、かつ外側へ傾斜する。
【００１２】
該ペダルセット２０は該下傾斜軸心１５に可動設置可能な軸カバー２１を備え、しかも該ペダルセット２０の軸カバー２１は後方へ延伸するペダル棒２３をそれぞれ備える。該ペダル棒２３上にはペダル２４を設置し、該ペダルセット２０の軸カバー２１は翼片２２を備える。しかも該ペダル棒２３と該底台１０の間には抵抗部品２５を設置し、該抵抗部品２５は両端にユニバーサル可動接続ヘッド２５１、２５２を備える弾性体、気圧シリンダー、液圧シリンダー等である。
【００１３】
しかも該連動機構３０は可動部品３２と２個の連動部品３３を含む。それは該底台１０上に「コ」の字型サポート台３１を設置し、該サポート台３１の封鎖端は調整部品３４により該固定台１３上に螺設する。該サポート台３１の開口端間には複数の弾性ワッシャ３５を設置し、該サポート台３１は螺設部品３６により該可動部品３２の中央位置に可動設置する。該２個の連動部品３３は該可動部品３２の両端にそれぞれ可動設置し、しかも該２個の連動部品３３の反対端は該ペダルセット２０の翼片２２上に可動設置し、こうして該連動機構３０は該可動部品３２と該連動部品３３の連動関係を通して、異なる訓練機能を兼ね備え、しかも動作がスムーズな連棒式足筋力訓練器を構成する。
【００１４】
本考案の実際運動時に係り、図１、２に示すように、ペダルセット２０の内の一方が力を受け下方へ踏まれると、該ペダルセット２０は下方へ、かつ内側へと偏移する。しかも該ペダルセット２０の下方への移動時に、該軸カバー２１上の翼片２２は相互に接続する連動部品３３を同期に後方へと押す。該連動部品３３は該可動部品３２の転動を作動し、こうして該可動部品３２の反対端はもう一方の連動部品３３を押し前方へ移動させる。これにより該連動部品３３を利用しもう一方のペダルセット２０を駆動し、それが相対する下傾斜軸心１５を転動させ、施力されていないペダルセット２０は上方へ、しかも外側へ偏移する。
【００１５】
該連動機構３０は調整部品３４を通して該サポート台３１の位置を改変し、該可動部品３２と該連動部品３３を通して該ペダルセット２０の高度を改変し、こうして該ペダルセット２０の抵抗力と行程を調整することができる。
【００１６】
同時に、該ペダルセット２０が施力され下方へ踏み込まれる時、該ペダルセット２０は下方へ内側へ偏移するため、人体の重心面積は内側へと偏移することで縮小し、その臀部、腰部、腕部等は反射性の振り動かしを生じる。その運動は主動性の動作に属し、しかも幅が大きいため、その運動量を大幅に向上させることができる。
【００１７】
本考案は別に多種の異なる実施例を備える。該連動機構３０のサポート台３１は該底台１０の固定台１３上に（本考案の実施例２、図３参照）或いは該底台１０のメインフレーム１１中段に(本考案の実施例３、図４参照)直接設置することができる。該サポート台３１は螺設部品３６により該可動部品３２の中段に可動設置し、しかも該可動部品３２両端はユニバーサル接続ヘッドを利用し連動部品３３を可動設置する。該２個の連動部品３３は該ペダルセット２０の翼片２２とそれぞれ可動接続し、こうして該両側のペダルセット２０は該連動機構３０の作用を受け上、下に交差連動する。
【００１８】
また図５に示すように、本考案の実施例４では該底台１０の固定台１３内側には軸心１６を備える。該軸心１６両端はそれぞれ湾折し、下方へかつ外側へと傾斜する下傾斜部分１６０を備える。これにより該両側のペダルセット２０は該軸カバー２１を通して、該軸心１６の対応する下傾斜部分１６０上に可動設置する。該底台１０は該両側のペダルセット２０間に連動機構４０を設置し、それは該底台１０のメインフレーム１１中段上に「コ」の字型を呈する枠台４１を設置する。
【００１９】
該枠台４１後側は調整部品４４により可動部品４２を設置し、これにより可動部品４２の前、後位置を調節する。該可動部品42両端にはそれぞれ連動部品43を可動設置する。該２個の連動部品４３の可動部品４２と異なる一端はそれぞれペダルセット２０上に可動設置し、こうして該連動機構４０は可動部品４２と連動部品４３を通して、該両側のペダルセット２０に上、下交差連動を生じさせる。
【００２０】
しかも本考案の実施例５では、図６に示すように、底台１０前方の横フレーム１２頂面には２個が相対位置から上方へ、かつ内側へと傾斜する下傾斜軸心１７を備える。該２個の下傾斜軸心１７の相互に異なる端は下方へ、かつ外側へ傾斜状を呈する。該両側のペダルセット２０は軸カバー２１を通してそれぞれ該両側の下傾斜軸心１７上に可動設置する。しかも該両側のペダルセット２０の前端の間は、可動突起２６１、２６２を利用し、弾性体２６を可動設置し、これにより該両側のペダルセット２０は該弾性体２６の伸縮により、抵抗作用を生じる。
【００２１】
該両側のペダルセット２０間には連動機構５０を設置し、該連動機構５０は該底台１０後方に固定台５１を固設する。該固定台５１上には可動部品５２を設置し、該可動部品５２両端にはそれぞれ連動部品５３を可動設置する。該２個の連動部品５３の該可動部品５２と異なる一端はそれぞれ上記した対応するペダルセット２０上に可動設置し、こうして該両側のペダルセット２０は上記した連動機構５０を通して上、下交差連動を生じる。
【００２２】
本考案の実施例６では図７に示すように、該底台１０は前方頂面の２個の相対する位置において上方へと軸枠１８を形成する。該２個の軸枠１８上にはそれぞれ相互に異なる端が下方へ、かつ外側へ傾斜する下傾斜軸心１８０を備える。該ペダルセット２０は該軸カバー２１を通して該底台１０両側の下傾斜軸心１８０上に可動設置する。
【００２３】
しかも該底台１０は該両側のペダルセット２０間に抵抗機構６０と連動機構７０を設置し、運動抵抗と交差連動の機能を生じる。該抵抗機構６０は該底台１０の固定台１３上に後方へ延伸する中間棒６１を設置する。該中間棒６１底面には円盤状の転動ブロック６２を可動設置する。該中間棒６１は該転動ブロック６２と該固定台１３間に調整片６３を設置する。該調整片６３は該固定第１３上に設置する調節ボルト６４の選択制作動を受けて前、後に移動する。
【００２４】
該調整片６３と該転動ブロック６２間には別に横棒６５を横方向に設置する。しかも該横棒６５両端にはそれぞれ長溝口６５０を備える。該横棒６５両端の長溝口６５０にはそれぞれ「く」の字型の連接クランプ６６を可動設置し、該２個の連接クランプ６６の一端は、上記した調整片６３上に一緒に可動設置される。該２個の連接クランプ６６の反対端は一緒に摩擦片６７を跨ぎ設置し、該摩擦片６７は上記した転動ブロック６２の外側周縁を巡ることができる。こうして該摩擦片６７を利用し該転動ブロック６２に相対し、ダンパー作用を生じる。しかも該調節ボルト６４を通して該調整片６３を作動させ、該連接クランプ６６の挟角を改変する。こうして該摩擦片６７の該転動ブロック６２に相対する摩擦面積を調整し、その抵抗力を調節する。
【００２５】
該連動機構７０は中間棒６１頂面に該転動ブロック６２と連動する可動部品７２を設置する。該可動部品７２両端にはそれぞれ連動部品７３を可動設置する。しかも該２個の連動部品７３の可動部品７２と異なる一端は、それぞれ対応するペダルセット２０上に可動設置し、こうして該両側のペダルセット２０は上記した連動機構７０を通して上、下交差連動を生じる。同時に、上記した抵抗機構６０を利用し運動ダンパー効果を生じる。
【００２６】
本考案の実施例７では図８に示すように、該足筋力訓練器は底台１０の前方中央に固定台１３を備える。該固定台１３両側にはそれぞれ下傾斜軸心１５を備える。該２個の下傾斜軸心１５の相互に異なる端は下方へ、かつ外側へ傾斜状を呈し、該ペダルセット２０は該軸カバー２１を通して、該固定台１３両側の下傾斜軸心１５上に可動設置する。しかも該底台１０は該両側のペダルセット２０間に運動抵抗力を生じる抵抗機構６０と一緒に交差連動を生じる連動機構７０を設置する。該抵抗機構６０は該底台１０の固定台１３上に後方へ延伸する中間棒６１を設置する。
【００２７】
該中間棒６１底面には円盤状の転動ブロック６２を可動設置する。該固定台１３上には前後移動する調節ボルト６４を備え選択的に作動させる。調整片６３と該転動ブロック６２間には別に横棒６５を横方向に設置し、該横棒６５両端には「く」の字型の連接クランプ６６をそれぞれ可動設置する。該２個の連接クランプ６６の一端は一緒に上記した調節ボルト６４端部に可動設置し、該２個の連接クランプ６６の反対端は上記した転動ブロック６２外側周縁を巡る摩擦片６７を一緒に跨ぎ設置する。こうして該摩擦片６７を利用し該転動ブロック６２に相対し、ダンパー作用を生じる。しかも該調節ボルト６４を通して２個の連接クランプ６６の相対挟角を改変し、これにより該摩擦片６７の該転動ブロック６２に相対する摩擦面積を調整し、その抵抗力を調節する。
【００２８】
該連動機構７０は中間棒６１頂面に該転動ブロック６２と連動する可動部品７２を設置する。該可動部品７２両端にはそれぞれ連動部品７３を可動設置する。しかも該２個の連動部品７３の可動部品７２と異なる一端は、それぞれ該ペダルセット２０に対応する翼片２２上に可動設置し、こうして該両側のペダルセット２０は上記した連動機構７０を通して上、下交差連動を生じる。
【００２９】
本考案の実施例８では図９に示すように、該足筋力訓練器は底台１０の前方中央に固定台１３を備える。該固定台１３両側にはそれぞれ下傾斜軸心１５を備える。該２個の下傾斜軸心１５の相互に異なる端は下方へ、かつ外側へ傾斜状を呈し、該ペダルセット２０は該軸カバー２１を通して該固定台１３両側の下傾斜軸心１５上に可動設置し、しかも該底台１０は該両側のペダルセット２０間に交差連動を生じる連動機構８０を設置する。
【００３０】
該連動機構８０は該底台１０の固定台１３上において前後移動する調節ボルト８１を選択的に作動させ、該調節ボルト８１端部には転動ブロック８２を可動設置する。該転動ブロック８２両側の相対周縁には、偏心連動部品８３をそれぞれ可動設置する。該２個の偏心連動部品８３の転動ブロック８２と異なる一端は、ペダルセット２０に対応する翼片２２上に可動設置し、こうして該両側のペダルセット２０は上記した連動機構８０を通して上、下交差連動を生じる。
【符号の説明】
【００３１】
１０        底台
１１        メインフレーム
１２        横フレーム
１３        固定台
１３１      斜面部品
１５        下傾斜軸心
１６        軸心
１６０      下傾斜部分
１７        下傾斜軸心
１８        軸枠
１８０      下傾斜軸心
２０        ペダルセット
２１        軸カバー
２２        翼片
２３        ペダル棒
２４        ペダル
２５        抵抗部品
２５１      可動接続ヘッド
２５２      可動接続ヘッド
２６        弾性体
２６１      可動突起
２６２      可動突起
３０        連動機構
３１        サポート台
３２        可動部品
３３        連動部品
３４        調整部品
３５        ワッシャ
３６        螺設部品
４０        連動機構
４１        枠台
４２        可動部品
４３        連動部品
４４        調整部品
５０        連動機構
５１        固定台
５２        可動部品
５３        連動部品
６０        抵抗機構
６１        中間棒
６２        転動ブロック
６３        調整片
６４        調節ボルト
６５        横棒
６５０      長溝口
６６        連接クランプ
６７        摩擦片
７０        連動機構
７２        可動部品
７３        連動部品
８０        連動機構
８１        調節ボルト
８２        転動ブロック
８３        偏心連動部品
【図１】
0003150337.tif 000003
【図２】
0003150337.tif 000004
【図３】
0003150337.tif 000005
【図４】
0003150337.tif 000006
【図５】
0003150337.tif 000007
【図６】
0003150337.tif 000008
【図７】
0003150337.tif 000009
【図８】
0003150337.tif 000010
【図９】
0003150337.tif 000011